(57)【特許請求の範囲】
【請求項１】
屋根折版上面の谷部を栽培容器部として、該谷部内に植物植生材料がセットされ、この植物植生材料に植物が植えられている折版屋根緑化構造において、
前記屋根折版は、谷部を一体に有する折版構成材同士を山部の頂部において接合して構成され、
前記植物植生材料は、予め所定の形状に成形された植生マットからなり、
該植生マットは、その上面が折版の山部の頂面高さ位置よりも低くなるように設定されており、
植生マット保持用のフレーム材が備えられ、該フレーム材は、折版谷部にセットされた植生マットの上面に沿う押さえ板部と、折版の山部の頂面に沿う取付け板部と、これら押さえ板部、取付け板部を折版面に沿って連接する傾斜板部とを一体に備えた帯板状の屈曲成形品からなり、谷部の流れ方向と交差する方向に延ばされ、折版構成材同士を接合している接合手段を利用してフレーム材の取付け板部が屋根に取り付けられ、フレーム材の押さえ板部が植生マットをその上面を押さえて折版谷部内に保持していることを特徴とする折版屋根緑化構造。
【請求項２】
植生マット上面に、植生マット保持用のメッシュ板がセットされ、前記フレーム材の押さえ板部がメッシュ板の上面を押さえて植生マットを折版谷部内に保持している請求項１に記載の折版屋根緑化構造。
【請求項３】
前記植物植生材料の上面から上方に離間してつる性植物支持用のメッシュ板がセットされ、このつる性植物用のメッシュ板は、折版構成材同士を接合している接合手段を利用して屋根に取り付けられている請求項１又は２に記載の折版屋根緑化構造。
【発明の詳細な説明】
【０００１】
【発明の属する技術分野】
本発明は、折版屋根緑化構造及び緑化装置に関する。
【０００２】
【従来の技術及び課題】
屋上や屋根などの各所の緑化については、従来より様々な提案がなされている。しかし、これらは、構造が複雑であったり、コストが高くついたり、施工が厄介であったりと、必ずしも満足いくものではなかった。本発明は、そのような背景のもとで、主として屋根材に用いられている折版の構造な特徴に着目し、この折版を緑化に有効利用して、上記の問題を解決することを課題とする。
【０００３】
【課題を解決するための手段】
上記の課題は、屋根折版上面の谷部を栽培容器部として、該谷部内に植物植生材料がセットされ、この植物植生材料に植物が植えられていることを特徴とする折版屋根緑化構造によって解決される。
【０００４】
このように、この折版屋根緑化構造は、屋根折版の上面の谷部を栽培容器部として、この谷部内に植物植生材料をセットするようにしたものである。即ち、折版の上面谷部内はそもそも、植物植生材料を受けるのに都合の良いサイズ及び形状を有していると言える。しかも、屋根折版は、それ自体でそもそも防水、防根の機能を有しており、折版に対し、別途に緑化のための防水、防根シートを敷設するというような必要がなく、植物植生材料を折版の上面谷部内に直接に受けさせることができる。従って、植物植生材料を受ける容器、支持部材などの専用の受け材を使用する必要がなく、緑化のための専用の防水、防根シートも不要で、折版屋根の緑化を簡素な構造にて、コスト的に有利に行うことができる。
【０００５】
特に、上記の屋根折版が、谷部を一体に有する折版構成材同士を山部の頂部において接合して構成されている普通のものである場合は、谷部内における防水、防根はより一走信頼性の高いものになる。
【０００６】
上記の植物植生材料として、予め所定の形状に成形された植生マットを用いる構成とすることにより、取扱い至便な植生マットを折版谷部内に配置していくだけで、折版谷部内への植物植生材料のセッティングを行え、施工を容易に行うことができる。しかも、植物植生材料を、屋根の勾配に影響されることなく、折版谷部内に流れ方向均等に容易にセットすることができ、そのセット後も、折版屋根の勾配や自然界の力の作用に抗して、その均等設置状態を長く保つことができる。
【０００７】
自然界の力によって上記の植生マットそれ自体が飛散や脱落を起こすおそれがある場合には、前記植生マットをその上面を押さえて保持するマット保持手段を備えさせておくことにより、それらのおそれを排除することができる。
【０００８】
このマット保持手段には、例えば、植生マット保持用のフレーム材が備えられ、該フレーム材は、谷部の流れ方向と交差する方向に延ばされ、折版構成材同士を接合している接合手段を利用して屋根に取り付けられて、植生マットをその上面を押さえて折版谷部内に保持しているものが好適に採用される。
【０００９】
このマット保持手段では、フレーム材が、植生マットの上面を植物の成育のために広く開放しながら、植生マットを折版谷部内にしっかりと保持して、植生マットの位置ズレや飛散、脱落を防ぐことができる。しかも、フレーム材は、折版構成材同士を接合している接合手段を利用して屋根に取り付けられる構成となされていることで、この接合手段を併用し、フレーム材の取付け構造を簡素なものにすることができる。
【００１０】
また、植生マットが、その上面をメッシュ板に押さえられて折版谷部内に保持される形式のマット保持手段を採用してもよい。メッシュ板は、それ自体を通じて上方への植物の成長を許容するものであり、従って、植生マットの上面を広い範囲にわたって安定良く押さえることができて、植生マットを折版谷部内にしっかりと保持し、植生マットの飛散や脱落を防ぐことができる。
【００１１】
上記のように、植生マットの保持にメッシュ板を用いる場合は、フレーム材を用い、このフレーム材を谷部の流れ方向と交差する方向に延ばし、フレーム材を折版構成材同士を接合している接合手段を利用して屋根に取り付け、このフレーム材によって、前記メッシュ板の上面を押さえて植生マットを折版谷部内に保持するようにすることで、メッシュ板を植生マットの上にしっかりと保持することができる。もちろん、フレーム材は、折版構成材同士を接合している接合手段を利用して屋根に取り付けられる構成とされていることで、この接合手段の併用により、メッシュ材を簡素な構造にて植生マット上に保持することができる。
【００１２】
また、前記植物植生材料の上面から上方に離間してつる性植物支持用のメッシュ板がセットされ、このつる性植物用のメッシュ板は、折版構成材同士を接合している接合手段を利用して屋根に取り付けられている構造とすることで、つる性植物による緑化を行うことができると共に、このメッシュ板を、折版構成材同士を接合している接合手段を有効利用して、簡素な構造にて取り付けることができる。
【００１３】
この場合、折版谷部内の植生マットの上面高さ位置を山部の高さ位置より低い位置に位置させる構成とすることで、つる性植物用メッシュ板を折版山部高さ位置にセットして取り付けるだけで、つる性植物用メッシュ板を植物植生材料の上面から上方に離間させることができて、つる性植物用メッシュ板の施工を容易に行うことができる。
【００１４】
折版は、一般的には屋根に用いられるものであるが、折版そのものは、上記のように、その上面谷部内が、植物植生材料を受けるのに都合の良いサイズ及び形状を有するものである。従って、折版を、屋根の緑化に限らず、種々の緑化装置における栽培容器として有効利用し、折版の上面谷部を栽培容器部として、該谷部内に植物植生材料をセットし、この植物植生材料に植物を植えて緑化装置を構成することで、折版の用途を拡大し、そのますますの需要増大を図っていくことができる。
【００１５】
【発明の実施の形態】
次に、本発明の実施形態を図面に基づいて説明する。
【００１６】
図１ないし図３に示す第１実施形態の折版屋根緑化構造において、１は屋根折版、２は植物植生材料としての植生マット、３はマット保持手段としてのメッシュ板、４は同じくマット保持手段としてのフレーム材である。
【００１７】
折版１は、谷部５を一体に有する鉄等の金属製の折版構成材１ａ…同士を、折版山部６において、シール状態にボルト７にて接合して形成されるもので、一般的な普通の屋根折版によるものである。折版屋根には排水のための所定の勾配が付けられている。８は軒桁である。
【００１８】
植生マット２は、例えば、ロックウール、セラミックウール等の鉱物繊維、あるいは、ヤシガラ、バーク、あるいは、カーシュレッダーダスト等のリサイクル材などを材料とし、これを所定の形状に成形して製作された、保水性を有するものである。本実施形態では、屋根折版１の上面谷部５内にしっくりと嵌合される横断面台形状の形態に成形されている。また、マット２の高さ寸法は、このマット２を折版１の上面谷部５内にセットした際のマット２の上面が、折版の山部６の頂面高さ位置よりも低くなるように設定されている。
【００１９】
メッシュ板３は、樹脂成形品や、金属線材を格子状に配列し交絡部を溶接などにて接合一体化した金属網状品などからなる。メッシュ板３は、これを通じて植物が上方に成長していける形態にものに設計されている。また、メッシュ板３の平面形状、平面サイズは、植生マット２の上面の平面形状、平面サイズに対応するものに設計されている。
【００２０】
フレーム材４は、折版谷部５にセットされた植生マット２の上面に沿う押さえ板部４ａと、折版１の山部６の頂面の沿う取付け板部４ｂと、これら押さえ板部４ａ、取付け板部４ｂを折版面に沿って連接する傾斜板部４ｃとを一体に備えた、帯板状の金属又は樹脂等の屈折成形品からなる。
【００２１】
折版屋根緑化構造の形成は、例えば次のようにして行われる。折版１の谷部５を栽培容器部として谷部５内に植生マット２をセットする。植生マット２は予め所定の形状の成形された成形品であり、取扱い性にも優れ、折版谷部５へのセットを容易に行うことができる。そして、植生マット２の固定のため、植生マット２の上面にメッシュ板３を載置し、その上からフレーム材４を嵌め、フレーム材４の取付け板部４ｂを、折版構成材１ａ…同士を接合するボルト７を利用してナット１０にて折版１に固着する。以上のようにして、折版屋根緑化構造が形成される。なお、折版構成材１ａ…同士を接合するボルト７の利用は、折版１も含めて新設する場合は、折版構成材１ａ…同士を接合する際に併せて利用するようにしてよいし、既設の折版１を利用する場合は、既に折版構成材１ａ…同士を接合しているボルトを利用するようにしてよい。上記の折版屋根緑化構造では、折版谷部がマット２を支持する栽培容器として用いられ、マット支持用の専用の栽培容器が不要であり、また、植生マット２の上面がメッシュ板３に押さえられて保持され、自然界の力の作用によって植生マット２が飛散、脱落するのが防がれる。
【００２２】
１１はエンド板で、植生マット２が屋根勾配によって下流がわに移動してしまうのを阻止すべく、植生マット２の下流側の端面を支えるものである。このエンド板１１には、図３（ロ）に示すように、その下縁部が切り欠かれて、そこを排水口１２としており、折版谷部５を通じた排水が妨げられないようにされている。あるいは、排水口は、図示しないが、エンド板１１の下縁を折版谷部５の底面から離間させて備えられたものであってもよい。このエンド板１１は必要に応じて用いられればよい。
【００２３】
植栽は、図６（イ）に示すように、種子マット１３を用い、これを植生マット２の高さ方向中間部にサンドイッチにして備えさせたり、あるいは、図６（ロ）に示すように、種子付きネット１４を用い、これを植生マット２の上面に備えさせたり、あるいは、図６（ハ）に示すように、上面にホール１５を成形した植生マット２を用い、このホール１５に苗木１７をセットするなど、各種方法によって行われてよい。図１及び図２において、１７は植栽植物である。
【００２４】
図４に示す第２実施形態の折版屋根緑化構造は、植生マット保持用のメッシュ板３を省略し、フレーム材４のみで、植生マット２の上面を押さえるようにしたものである。折版流れ方向に間隔的にフレーム材４を取り付けるなどすることで、しっかりと植生マット２を保持することができ、植物１７の成育も妨げず、メッシュ板３の省略によってコスト的な有利性も発揮される。
【００２５】
図５に示す第３実施形態の折版屋根緑化構造は、つる性植物を植栽する場合に適する構成としたもので、つる性植物支持用のメッシュ板１８が用いられている。このメッシュ板１８は、樹脂成形品や、金属線材を格子状に配列し交絡部を溶接などにて接合一体化した金属網状品などから平坦なもので、折版１の山部６の頂面上に支承され、折版構成材１ａ…同士を接合しているボルト７を利用して屋根に固着されている。植生マット２の高さ寸法は折版谷部５の深さ寸法よりも短く設定されており、メッシュ板１８を折版山部６の頂面上に支承させて固着するだけで、メッシュ板１８は植生マット２の上面から上方に離間された状態となり、つる性植物支持用メッシュ板１８の施工を容易に行える。このメッシュ板１８によれば植生マット２の飛散や脱落も防がれる。同図において、１７はつる性植物である。
【００２６】
以上に本発明の実施形態を説明したが、本発明はこれに限られるものではなく、発明思想を逸脱しない範囲で各種変更が可能である。例えば、植生マットは、折版谷部５の形状、サイズに対応した横断面台形状のしっくり嵌合型のものでなくてもよく、図７（イ）に示すように、例えば、折版谷部５にセット可能な横断面方形状のものであってもよい。また、植生マットとして、保水性を有する各種のものが用いられてよい。また、図７（ロ）（ハ）に示すように、植生マット２は、保水性と排水性をより一層良好なものにするため、保水性を有する植生マット本体部２ａの下部に排水層部２ｂを備えさせた構成となされていてもよい。この場合、植生マット本体部２ａと排水層部２ｂとは、一体組み合わせ品として植生マット２を構成していてもよいし、あるいは、排水層部材２ｂの上部に植生マット本体部材２ａを載置するなどのように、別体組み合わせ品として植生マット２を構成していてもよい。排水層部２ｂは、良好な排水性能を奏するものであればよく、例えばプラスチックや樹脂など、各種材料からつくられていてよい。また、植生マットの短尺品を折版谷部内の流れ方向に間隔的にセットする構成としてもよい。また、屋根勾配が小さい場合などは、植生マットに限らず、軽量土壌などの各種植物植生材料が用いられてよい。また、フレーム材は各種形態に構成されていてよい。なお、植生マット２の上面を押さえるメッシュ板３やフレーム材４は、必要に応じて用いられればよいものであって、必須のものではない。また、屋根などへの適用において、折版に強度や耐久性をもたせる必要があるような場合は、折版構成材１ａを２枚重ねなど、複数枚重ねにし、最上部の折版構成材の谷部内に植生マット等の植物植生材料をセットする構成などとしてもよい。また、本発明は、折版屋根への適用に限られるものではなく、折版谷部を栽培容器部とした各種の緑化装置、例えば室内、室外のガーデニング装置に構成されていてよい。また、植物の植栽は、各種方法で行われてよい。
【００２７】
【発明の効果】
上述の次第で、本発明の折版屋根緑化構造は、屋根折版上面の谷部を栽培容器部として、該谷部内に植物植生材料がセットされ、この植物植生材料に植物が植えられているものであるから、緑化に、植物植生材料を受ける容器、支持部材などの専用の受け材を使用する必要がなく、また、緑化のための専用の防水、防根シートも不要で、折版屋根の緑化を簡素な構造にて、コスト的に有利に実現することができる。
【００２８】
また、本発明の緑化装置は、折版の上面谷部を栽培容器部として、該谷部内に植物植生材料をセットし、この植物植生材料に植物を植えたものであるから、折版の用途を屋根以外にも拡大し、その需要増大を図っていくことができる。
【図面の簡単な説明】
【図１】第１実施形態の折版屋根緑化構造を示す断面図である。
【図２】同斜視図である。
【図３】図（イ）は折版と植生マットとを分離状態にして示す斜視図、図（ロ）はエンド板の取付け部位を拡大して示す斜視図である。
【図４】第２実施形態の折版屋根緑化構造を示す斜視図である。
【図５】第３実施形態の折版屋根緑化構造を示す斜視図である。
【図６】図（イ）ないし図（ハ）はそれぞれ植栽方法を示す斜視図である。
【図７】植生マットの変形例を示すもので、図（イ）は斜視図、図（ロ）及び図（ハ）は断面図である。
【符号の説明】
１…折版
１ａ…折版構成材
２…植生マット（植物植生材料）
３…メッシュ板（マット保持手段）
４…フレーム材（マット保持手段）
５…谷部
６…山部
７…ボルト（接合手段）
１７…植物
【図１】
0004202495.tif 000002
【図２】
0004202495.tif 000003
【図３】
0004202495.tif 000004
【図４】
0004202495.tif 000005
【図５】
0004202495.tif 000006
【図６】
0004202495.tif 000007
【図７】
0004202495.tif 000008